(57)【要約】      （修正有）【課題】光学デバイスの厚さに関係なく収容でき、再利用が容易な光学デバイス用ケースを得る。【解決手段】光学デバイス１を間隔を隔して並列に収容し、且つ光学デバイス１の幅方向の両端部のみが接する枠部材２と、上面に貼り付けた粘着シート５に光学デバイス１の長手方向の一端を接着する底部材４と、内側の上面に貼り付けた粘着シート５に光学デバイス１の長手方向の他端を接着し、枠部材２及び前記底部材４と一体的に組み合わされる凹型ケース６とで光学デバイス用ケースを構成する。【選択図】図１
2006117300.tif 000002
【特許請求の範囲】
【請求項１】
上面に粘着シートを配置した底板部材と、該底板部材の上面に載置された枠部材と、下面に開口を有する凹陥部を有し該凹陥部の内側上面に粘着シートを張り付けたキャップ状蓋部材とを備えた光学デバイス用梱包ケースであって、
前記枠部材の内側寸法は収容する光学デバイスの幅方向の寸法に対応しており、前記底板部材上面であって前記枠部材の枠内に露出している前記粘着シート上に光学デバイスを載置した状態で前記キャップ状蓋部材を被せた際に、光学デバイスの上端部がキャップ状蓋部材の内側上面に配置した粘着シートに当接することを特徴とする光学デバイス用梱包ケース。
【請求項２】
前記底板部材の周縁部が前記キャップ状蓋部材の開口端部と嵌合するように構成されていることを特徴とする請求項１に記載の光学デバイス用梱包ケース。
【請求項３】
前記底板部材の周縁部及び枠部材の周縁部が、前記キャップ状蓋部材の開口端部と嵌合するように構成されていることを特徴とする請求項１に記載の光学デバイス用梱包ケース。
【請求項４】
請求項１乃至３のいずれかに記載の光学デバイス用梱包ケースに光学デバイスを収容する方法であって、
前記枠部材上方に収容する光学デバイスに対応した貫通孔を有する治具を載置する工程と、
前記治具の貫通孔に光学デバイスを挿入して底板部材上面の粘着シートに光学デバイスの下端を接着する工程と、
前記治具を取り去る工程と、
前記キャップ状部材を上方から被せて前記底板部材若しくは前期枠部材に前記キャップ状蓋部材の下端部を嵌合させて前記キャップ状蓋部材の内側上面の粘着シートに光学デバイスの上端を接着する工程と、を備えていることを特徴とする光学デバイスの梱包方法。
【発明の詳細な説明】
【技術分野】
【０００１】
本発明は、光学デバイス用梱包ケースに関し、特に種々の厚さの光学デバイスを収容できるように改善した光学デバイス用梱包ケースに関するものである。
【背景技術】
【０００２】
光学デバイスは光伝送装置等の通信機器からビデオカメラ、電子スチールカメラ等の民生器機まで広範囲に用いられ、今後青色レーザダイオード等の新しい光学デバイスの普及と共にその用途はますます広がるものと思われる。
光学デバイスの一種である光学ローパスフィルタ、波長板、複屈折板等の光学デバイスを収容する梱包ケースの発明に関して、特開２００１−２１６７号公報、特開２００２−３７０７８０号公報等にその手段が開示されている。また、半導体レーザ素子等の保護に用いられるガラス、樹脂、シリコン等からなる透光性部材を収容する透光性部材用ケースの発明に関して、特開２００２−５９９８９号公報にその方法が開示されている。
【０００３】
光学デバイスの主表面にゴミ、ホコリ等が付着すると、その性能を大幅に劣化させるので、一般的に製造及び梱包はクリーンルーム内で行われる。光学デバイス用梱包ケースにもゴミ、ホコリ等が出ない材質を用いる必要がある。また、最近ではリサイクル等が重視されるようになってきているので、一部の部品を代えるだけで繰り返し使用できる光学デバイス用梱包ケースが望まれる。
【０００４】
図４、５は特開２００２−５９９８９号公報に開示された透光性部材用ケースの断面図及びそれに用いられる枠部材の平面図である。透光性部材用ケースは、図４の断面図に示すように枠部材１１、底部材１２、蓋部材１３、粘着シート１４とから構成されている。枠部材１１は、図５の平面図に示すように透光性部材１５を収容するための貫通孔１７が縦横に配列されており、貫通孔１７の一方の開口に対向して底部材１２を一体的に組み合わせることにより、透光性部材１５を収容する多数の凹部を形成している。該凹部に透光性部材１５を挿入すると、底部材１２の上面に付着した粘着シート１４に接着、固定されることになる。そして、蓋部材１３を枠部材１１に一体的に組み合わせることにより透光性部材用ケース１６が構成される。
【０００５】
枠部材１１、底部材１２、蓋部材１３はポリ塩化ビニール樹脂、ポリスチレン系樹脂、ポリエステル系樹脂、ポリエチレン系樹脂等の樹脂からなり、シート成形あるいは、射出成形で形成される。
【特許文献１】特開２００１−２１６７号公報特開２００２−５９９８９号公報特開２００２−３７０７８０号公報
【発明の開示】
【発明が解決しようとする課題】
【０００６】
しかしながら、特開２００２−５９９８９号公報に開示されている光学デバイス用梱包ケース（透光性部材用ケース）では、光学デバイス（透光性部材）の大きさが異なるとその大きさに応じて、枠部材等を製作しなければならず、多種の枠部材等を収容するスペースが必要であるという問題と、多種の枠部材等を製作するため梱包ケースのコストが高くなるという問題があった。
また、特開２００１−２１６７号公報あるいは特開２００２−３７０７８０号公報に開示されている光学デバイス用梱包ケースにおいても、光学デバイスの大きさに応じて光学デバイスを収容する収容部を具備した中ケースを製作する必要があり、上記と同じ問題があった。
【課題を解決するための手段】
【０００７】
本発明の光学デバイス用ケースの請求項１の発明は、上面に粘着シートを配置した底板部材と、該底板部材の上面に載置された枠部材と、下面に開口を有する凹陥部を有し該凹陥部の内側上面に粘着シートを張り付けたキャップ状蓋部材とを備えた光学デバイス用梱包ケースであって、 前記枠部材の内側寸法は収容する光学デバイスの幅方向の寸法に対応しており、前記底板部材上面であって前記枠部材の枠内に露出している前記粘着シート上に光学デバイスを載置した状態で前記キャップ状蓋部材を被せた際に、光学デバイスの上端部がキャップ状蓋部材の内側上面に配置した粘着シートに当接するように構成した光学デバイス用ケースである。
請求項２の発明は、前記底板部材の周縁部が前記キャップ状蓋部材の開口端部と嵌合するように構成されていることを特徴とする請求項１に記載の光学デバイス用梱包ケースである。
請求項３の発明は、前記底板部材の周縁部及び枠部材の周縁部が、前記キャップ状蓋部材の開口端部と嵌合するように構成されていることを特徴とする請求項１に記載の光学デバイス用梱包ケースである。
請求項４の発明は、請求項１乃至３のいずれかに記載の光学デバイス用梱包ケースに光学デバイスを収容する方法であって、前記枠部材上方に収容する光学デバイスに対応した貫通孔を有する治具を載置する工程と、前記治具の貫通孔に光学デバイスを挿入して底板部材上面の粘着シートに光学デバイスの下端を接着する工程と、前記治具を取り去る工程と、前記キャップ状部材を上方から被せて前記底板部材若しくは前期枠部材に前記キャップ状蓋部材の下端部を嵌合させて前記キャップ状蓋部材の内側上面の粘着シートに光学デバイスの上端を接着する工程と、を備えている光学デバイスの梱包方法である。
【発明の効果】
【０００８】
本発明の光学デバイス用ケースは、複数の並列した貫通孔を有する治具を用いて光学デバイスを挿入するようにしたため、光学デバイスの厚さに応じて枠部材を用意する必要はなく、光学デバイス用梱包ケースが簡略化できると共に、コストが大幅に低減でき、同時に再利用が容易であるという利点がある。
【発明を実施するための最良の形態】
【０００９】
図１は本発明に係る光学デバイス用梱包ケースの実施の形態を示す概略断面図であって、光学デバイス１を間隔を隔して並列に収容し、且つ光学デバイス１の幅方向の両端部のみが接する中空の枠部材２と、上面に粘着シート３が貼り付けられ、該粘着シート３に光学デバイスの下端が接着する底板部材４と、内側の上面に粘着シート５が貼り付けられ、且つ該粘着シート５に光学デバイス１の上端が接着し、前記枠部材２及び前記底板部材４とを覆うように組み合わされるキャップ状蓋部材６と、からなるように構成した光学デバイス用ケースである。
図１に示すように光学デバイス１の下側の端面が底板部材４上の粘着シート３に接着し、枠部材２で外周の両端が固定され、上側の端面がキャップ状蓋部材６の内面に貼り付けられた粘着シート５に接着し、粘着シート３、５と枠部材２とで梱包ケース内に接着、固定される。なお、光学デバイス１は空間７を隔して並列に並べられる。
【００１０】
本発明の光学デバイス用梱包ケースの組み立てを、分解図を用いて更に詳細に説明する。図２の斜視図に示すように、底板部材４の上面に両面粘着シート３を貼り付けると共に、枠状部材の枠内側寸法Ｙを光学デバイス１の幅寸法に合わせて形成した枠部材２を粘着シート３に接着する。枠部材２の外周部には段差部が形成してある。そして、図３（ａ）、（ｂ）に平面図及びＡ−Ａ断面図を示すように、光学デバイス１が底板部材に対し垂直に挿入できるような、多くの貫通孔８が並列に設けられた治具９を枠部材２上に載置して、図３（ｃ）に示すような状態にする。このとき、治具９の下側周縁に前記枠部材２の段差部に対応する段差部を形成することにより、両者が嵌合して位置ずれを防止することができる。
【００１１】
図３（ｃ）の断面図に示す治具９の貫通孔８から光学デバイス１を挿入し、底部材４上の粘着シート３に接着させると同時に、枠部材２により光学デバイスの幅方向の動きは抑えられる。次に、治具９を取り去ることにより、図３（ｄ）の断面図に示すように、光学デバイス１は粘着シート３と枠部材２とに接着、固定されて底板部材４上に垂直に林立したあ状態とする。そして、図３（ｅ）に示すように、この上からキャップ状蓋部材６を被せ、キャップ状蓋部材６の下側周縁に前記枠部材２の段差部に対応する段差部を形成することにより、両者が嵌合して位置ずれを防止することができる。この際、キャップ状蓋部材６の内面の平面部には両面粘着シート５が貼り付けてあるので、この粘着シート５が光学デバイス１の長手方向の他端に接着することになり、光学デバイスの接着、固定が一層強固になる。
なお、開梱を容易にし、再利用を図るために粘着シート３、５の接着強度を異ならせせ、底板部材側の粘着シート３の接着強度を強く、キャップ状蓋部材側(ａ)の粘着シート５のそれを弱くすることが望ましい。
【００１２】
本発明の特徴は、治具９の貫通孔８の厚さを変えるのみで、多種の厚さの光学デバイス１を底板部材４、枠部材２、キャップ状蓋部材６等の形状を変えることなく収容できるようにした光学デバイス用梱包ケースである。また、開梱も容易であり、光学デバイス用梱包ケースの再利用も容易となった。
【００１３】
枠部材２、底板部材４、キャップ状蓋部材６等の材質は、ポリ塩化ビニール樹脂、ポリスチレン系樹脂、ポリエステル系樹脂、ポリエチレン系樹脂等の樹脂を用いればよく、シート成形あるいは、射出成形で形成すればよい。但し、枠部材２は光学デバイスの幅方向寸法バラツキを許容できるように、ある程度の弾性変形が可能な材質が望ましい。
【００１４】
図２、３では枠部材２、底板部材４及びキャップ状蓋部材６が嵌合するように、枠部材２及びキャップ状蓋部材６に段差部を形成したものを示したが、段差部は必ずしも必要ない。段差部を設けなければ光学デバイスの長手方向の寸法が異なっていても、キャップ状蓋部材６の粘着シート５が光学デバイス１の長手方向の他端に接するまで深く被せることにより、同一の光学デバイス用ケースで長手方向の寸法の異なった光学デバイスの収容が可能となる。
【図面の簡単な説明】
【００１５】
【図１】本発明に係る光学デバイス梱包用ケースの構造を示した概略断面図である。
【図２】本発明に光学デバイス用梱包ケースの組み立ての一部を示す斜視図である。
【図３】本発明に光学デバイス用梱包ケースの組み立ての一部を示す断面図である。
【図４】従来の光学デバイス用梱包ケースの構造を示した断面図である。
【図５】従来の光学デバイス用梱包ケースに用いられる枠部材の平面図である。
【符号の説明】
【００１６】
１、４  光学デバイス
２  枠部材
３、５  粘着シート
４  底板部材
６  キャップ状蓋部材
７  空間
８  貫通孔
９  治具
【図１】
2006117300.tif 000003
【図２】
2006117300.tif 000004
【図３】
2006117300.tif 000005
【図４】
2006117300.tif 000006
【図５】
2006117300.tif 000007